(57)【要約】      （修正有）【課題】脱水効果が良く、大きな騒音もなく、内部の部品が比較的壊れにくい、洗濯機の洗濯脱水槽の方向回転構造を提供する。【解決手段】内外一体のケース１と一つの洗濯脱水槽２を含み、該洗濯脱水槽２の開口に一つの密封蓋２０を設け、それを開けて洗濯する物を入れ、及び閉めて衣服及び汚水が該洗濯脱水槽２から漏れるのを防止する。該洗濯脱水槽２の両サイドにそれぞれ一組のピボット構造３を設け、各ピボット構造３に含まれるのは一つの固定スタンド３１であり、該固定スタンド３１は該ケース１内の如何なる一つの位置に固定することができる。該固定スタンド３１は三角形を呈し、且つ該ケース１底部に固設することで、該洗濯脱水槽２をしっかりと支えることができる。各固定スタンド３１は一つのピボット３１１を具有し、二つのピボット３１１の軸心の予想ラインはラジアルに該洗濯脱水槽２に貫通する。【選択図】図２
0003196947.tif 000002
【実用新案登録請求の範囲】
【請求項１】
内外一体のケースと一つの洗濯脱水槽を含み、
内外一体のケースと一つの洗濯脱水槽を含み、該洗濯脱水槽の両サイドにそれぞれ一組のピボット構造を設け、各ピボット構造に含まれるのは一つの固定スタンドであり、各固定スタンドは一つのピボットを具有し、二つのピボットの軸心の予想ラインはラジアルに該洗濯脱水槽に貫通し、
且つ各ピボット構造にピボットを軸として回転できる一つのピボットパーツを設け、該洗濯脱水槽と該ピボットパーツは互いに接続することで、該洗濯脱水槽は横向き及び縦向きに交互に交換することができ、
また、該ピボット構造に一組の定位構造を設け、該洗濯脱水槽は横向き及び縦向きに呈する時に定位を行うことを特徴とする洗濯機の洗濯脱水槽の方向回転構造。
【請求項２】
前記該ピボットパーツは該ピボットに設け、且つ洗濯脱水槽と接続する第一歯車を含み、
該ピボット構造に一つのモーターを含み、該モーターのシャフトに該第一歯車と噛合する第二歯車を固設し、それにより該第二歯車を駆動して該第一歯車と共に回転することで該洗濯脱水槽が回転を行うことを特徴とする請求項１記載の洗濯機の洗濯脱水槽の方向回転構造。
【請求項３】
前記定位構造は該第一歯車或いは第二歯車の歯に設ける制限スイッチ及び、該制限スイッチと信号で接続する一つのプロセッサーを含み、該プロセッサーは該モーターと信号接続することで、該制限スイッチは該洗濯脱水槽２が横向きに呈す、及び縦向きに呈すと感知した場合、一つの感知信号が生じてプロセッサーに送り、該プロセッサーはそれを受信し、該感知信号を処理した後に、停止命令の指令を該モーターに送ることで、該モーターは動きを停止することを特徴とする請求項２記載の洗濯機の洗濯脱水槽の方向回転構造。
【請求項４】
前記固定スタンドの該洗濯脱水槽に向けた一つのサイド壁に一つのアーチ型のガイドレールを設け、該洗濯脱水槽は該ガイドレール内にあるロール/スライド部品に固設することを特徴とする請求項１記載の洗濯機の洗濯脱水槽の方向回転構造。
【考案の詳細な説明】
【技術分野】
【０００１】
本考案は洗濯機の構造に関し、特に洗濯機の洗濯脱水槽の方向回転構造に関する。
【背景技術】
【０００２】
ドラム式洗濯機の洗濯脱水槽は横向きに設置し、洗濯脱水槽の内槽本体の回転により、洗濯物が洗濯脱水槽内で幾度も高く持ち上げては落とし、手洗いのようにこすり洗い、叩き洗いの動きをすることで衣服をきれいにする効果に達するほか、衣服にダメージを与えにくい。
また、ドラム式洗濯機で洗濯する際は、洗濯脱水槽に水を一杯溜めないため、縦式の洗濯機に比べ、ドラム式洗濯機は水を節約し、衣服が変形して破損しにくいメリットを具有する。
【０００３】
しかし、脱水する段階で、従来のドラム式洗濯機の洗濯脱水槽は横向きであるため、洗濯脱水槽内の衣服は下部に集中する。
仮に衣服の重量が比較的重く、或いは枚数が比較的多い場合、洗濯脱水槽内の槽本体が超高速回転すると、洗濯脱水槽内にある衣服は、内側に沿って分布することができず、遠心力の効果が不均等になるため、脱水効果が比較的悪くなり、本体が揺れて大きな騒音を作り出すだけでなく、洗濯機内部の部品が比較的壊れやすいことを鑑みて、更なる改善が必要であった。
【先行技術文献】
【特許文献】
【０００４】
【特許文献１】特開２００９−２５４６１３号公報
【考案の概要】
【考案が解決しようとする課題】
【０００５】
前記公知構造の欠点を解決するため、本考案は、脱水効果が良く、大きな騒音も無く、洗濯機内部の部品が比較的壊れにくい洗濯脱水槽の方向回転構造を提供することを主な課題とする。
【課題を解決するための手段】
【０００６】
前記課題を解決するために、本考案は洗濯脱水槽の方向回転構造を提供するものである。内外一体のケースと一つの洗濯脱水槽を含み、該洗濯脱水槽の両サイドにそれぞれ一組のピボット構造を設け、各ピボット構造に含まれるのは一つの固定スタンドであり、各固定スタンドは一つのピボットを具有し、二つのピボットの軸心の予想ラインはラジアルに該洗濯脱水槽に貫通する。
且つ、各ピボット構造にピボットを軸として回転できる一つのピボットパーツを設け、該洗濯脱水槽と該ピボットパーツは互いに接続することで、該洗濯脱水槽は横向き及び縦向きに交互に交換することができる。
また、該ピボット構造に一組の定位構造を設け、該洗濯脱水槽は横向き及び縦向きに呈する時に定位を行う。
【０００７】
上記の設置により、該洗濯機は洗濯する段階で横向きに呈し、ドラム式洗濯機の水を節約、且つ衣服を優しく洗うメリットを有する。
脱水する段階で、該洗濯脱水槽を横向きから縦向きに変えることで、脱水する際に、洗濯脱水槽内の衣服が、該洗濯脱水槽の内壁に沿って平均的に分布し、高速回転する際の機体の揺れを少なくし、脱水の効率を改善し、脱水時間を短くして電気エネルギーを節約することで、該洗濯機はドラム式洗濯機の洗濯時のメリットと、縦式洗濯機の脱水時のメリットを兼ね備える。
【考案の効果】
【０００８】
本考案の構造により、洗濯する段階で横向きに呈し、ドラム式洗濯機の水を節約、且つ衣服を優しく洗うメリットを持ち、脱水する段階では縦向きに向きを変えることで、該洗濯機はドラム式洗濯機の洗濯のメリット及び、縦式洗濯機の脱水のメリットを兼ね備える。
【図面の簡単な説明】
【０００９】
【図１】本考案の外観立体図である。
【図２】本考案の透視図である。
【図２Ａ】図２Ａは  図２のＡ部分のピボット構造の拡大断面略図である。
【図３】本考案の該洗濯脱水槽と該ピボット構造の前視図と側視図である。
【図４】本考案の該洗濯脱水槽を縦向きに変えた立体図である。
【図５】本考案の第二実施例の変化状態側視図である。
【考案を実施するための形態】
【００１０】
以下、本考案の構造と特徴および効果を、最良実施例と図面を参照しながら詳細に説明する。
【実施例１】
【００１１】
図１と合わせて参照し、図２に示すように、本考案は洗濯機の洗濯脱水槽の方向回転構造に関する。それに含まれるのは、内外一体のケース１と一つの洗濯脱水槽２である。該ケース１に一つの外蓋１０を設け、それを開けて洗濯する物を該洗濯脱水槽２に入れることができる。及び該外蓋１０を閉めると、洗濯機が作動する際に、頭や手が不注意で中に入る或いは異物が落ちるのを防止する。
該洗濯脱水槽２の開口に一つの密封蓋２０を設け、それを開けて洗濯する物を入れ、及び閉めて衣服及び汚水が該洗濯脱水槽２から漏れるのを防止する。該洗濯脱水槽２の両サイドにそれぞれ一組のピボット構造３を設け、各ピボット構造３に含まれるのは一つの固定スタンド３１であり、
該固定スタンド３１は該ケース１内の如何なる一つの位置に固定することができる。図に示すように、該固定スタンド３１は三角形を呈し、且つ該ケース１底部に固設することで、該洗濯脱水槽２をしっかりと支えることができる。図３に示すように、各固定スタンド３１は一つのピボット３１１を具有し、二つのピボット３１１、３１１Ａの軸心の予想ライン３０はラジアルに該洗濯脱水槽２に貫通する。
【００１２】
本考案のピボット構造３は歯車式構造、液圧式構造或いは其の他の同等効果の構造変化にすることができ、下記の実施方法は歯車式構造で解説する。図２Ａは図２のＡ部分のピボット構造３の拡大断面略図である。図２Ａに示すように、各ピボット構造３にピボット３１１を軸として回転できる一つのピボットパーツ３２を設け、且つ該洗濯脱水槽２と該ピボットパーツ３２は互いに接続する。
一つの最良実施例において、該ピボットパーツ３２は該ピボット３１１に設け、且つ洗濯脱水槽２と接続する第一歯車３２０を含む。該ピボット構造３に含まれるのは一つのモーター(図２Ａに示すのは該ピボット構造３内部の歯車作動断面図であり、且つモーターは従来技術の部品であるため、図にはモーター本体を掲載していない)であり、該モーター(図に未掲載)のシャフト３３に該第一歯車３２０と噛合する第二歯車３３０を固設する。
該洗濯脱水槽２が回転する際、該モーター(図に未掲載)は該第二歯車３３０を駆動して該第一歯車３２０と共に回転する。それにより該洗濯脱水槽２は該ピボット３１１を軸として回転し、横向き及び縦向き(図４に示すように)に向きを変える(横向きから縦向きに、或いは縦向きから横向きに回転する)。
【００１３】
該ピボット構造３に一組の定位構造を設け、該洗濯脱水槽２が横向きの時と縦向きの時に定位を行う。最良実施例において、該定位構造は該第一歯車３２０或いは第二歯車３３０の歯に設ける制限スイッチ３４及び、該制限スイッチ３４と信号で接続するプロセッサー(該プロセッサーの構造及び位置は本考案のポイントではないため、図に未掲載である)を含む。図に示す実施例のように、該制限スイッチ３４は該第二歯車３３０の歯に設ける。
該制限スイッチ３４は該洗濯脱水槽２が横向きに呈する、及び縦向きに呈すると感知した場合(例えば該洗濯脱水槽２が横向き或いは縦向きに呈するとき、該制限スイッチ３４は該第一歯車３２０の歯と接触する)、一つの感知信号が生じてプロセッサー(図に未掲載)に送る。該プロセッサー(図に未掲載)はそれを受信し、該感知信号を処理した後に、停止命令の指令を該モーター(図に未掲載)に送ることで、該モーター(図に未掲載)は動きを停止し、それにより洗濯脱水槽２を横向きに呈する、或いは縦向きに呈するよう定位する。
【実施例２】
【００１４】
図５に示すように、一つの最良実施例において、該固定スタンド３１は方形を呈すこともできる。該固定スタンド３１の該洗濯脱水槽２に向けた一つのサイド壁に一つのアーチ型のガイドレール３５を設ける。該洗濯脱水槽２は該ガイドレール３５内にあるロール/スライド部品３６に固設する。図に示すように、該ロール/スライド部品３６は該洗濯脱水槽２の底部に固設する。
該ロール/スライド部品３６は該洗濯脱水槽２にて、該ピボット３１１に沿って回転する際に、該ガイドレール３５に沿ってロール/スライドすることで、該洗濯脱水槽２が回転する過程において、更に安定し、且つ該洗濯脱水槽２を支える役割を有する。
【００１５】
上記の設置により、該洗濯機は洗濯する段階で該洗濯脱水槽２を横向きに定位し、ドラム式洗濯機の洗濯時の水を節約、及び衣服を優しく洗うメリットを有する。
脱水する段階で、該洗濯脱水槽２を横向きから縦向きに変えることで、洗濯機が脱水をする際に、該洗濯脱水槽２内の衣服が、該洗濯脱水槽２の内壁に沿って平均的に分布し、脱水の効果を改善すると同時に、高速回転する際の機体の揺れを少なくし、洗濯機の内部構造に与えるダメージを少なくする。該洗濯機はドラム式洗濯機の洗濯時のメリットと、縦式洗濯機の脱水時のメリットを兼ね備える。
【００１６】
以上の実施例は本考案の一つの最良実施例である。本技術に熟知する者が、本考案の範囲内にて行う変更や調整を行っても、本考案の重要な意義は失われず、本考案の範囲に含まれる。
【符号の説明】
【００１７】
１  ケース
１０  外蓋
２  洗濯脱水槽
２０  密封蓋
３  ピボット構造
３０  予想ライン
３１  固定スタンド
３１１  ３１１Ａ  ピボット
３２  ピボットパーツ
３２０  第一歯車
３３  シャフト
３３０  第二歯車
３４  制限スイッチ
３５  ガイドレール
３６  ロール/スライド部品
【図１】
0003196947.tif 000003
【図２】
0003196947.tif 000004
【図２Ａ】
0003196947.tif 000005
【図３】
0003196947.tif 000006
【図４】
0003196947.tif 000007
【図５】
0003196947.tif 000008